(57)【要約】      （修正有）【課題】被写体の撮影が可能なカメラ本体と、このカメラ本体の上部に設けられ、ストロボその他の外部機器のシュークリップが挿入取り付けられるホットシューの取付構造において、比較的簡単な構造で、しかもシューリングが緩締（ゆるく締めている状態）であってもストロボが簡単に落下しないような構造にした。【解決手段】被写体の撮影が可能なカメラ本体と、このカメラ本体の上部に設けられ、ストロボその他の外部機器のシュークリップが挿入取り付けられるホットシュー２４と、前記シュークリップの挿入に従って上方に押され前記シュークリップの前記ホットシュー２４への取付け完了時に前記ホットシュー２４の端部に係合するロック子５２からなり前記ロック子５２を押し上げることでストロボのカメラに対するロック状態を解除するようにしたことを特徴とする外付けストロボの取付け構造。【選択図】図４
2009104010.tif 000002
【特許請求の範囲】
【請求項１】
被写体の撮影が可能なカメラ本体と、このカメラ本体の上部に設けられ、ストロボその他の外部機器のシュークリップが挿入取り付けられるホットシューと、前記シュークリップの挿入に従って上方に押され前記シュークリップの前記ホットシューへの取付け完了時に前記ホットシューの端部に係合するロック子からなり前記ロック子を押し上げることでストロボのカメラに対するロック状態を解除するようにしたことを特徴とする外付けストロボの取付け構造。
【発明の詳細な説明】
【技術分野】
【０００１】
本発明は、カメラのホットシューにストロボのシュークリップを取付け、不用意にストロボがカメラから脱落しないようにした構造の外付けストロボの取付け構造に関するものである。
【背景技術】
【０００２】
従来、被写体撮影が出来るカメラにはカメラに機能を補充する機器、主にストロボを装着するホットシューが設けられていてカメラ撮影者のストロボ発光の要望を満たしている。
カメラ撮影者はストロボのシュークリップをカメラのホットシューに挿入してシューリングを回して最終的にカメラとストロボを固定するが、大きな衝撃が加わった場合、ホットシューからシュークリップが外れ、或いは使用中に序所にシューリングが緩んでホットシューからシュークリップが外れる等によって、ストロボを落とし破損することも生じる。
【０００３】
特許文献１は、ストロボ装置等のカメラ用付属品のホットシューからの外れを防止する機構を備えていて、これはカメラ用付属品側の取付け足部材に、上下作動可能な位置決め係止ピンが組みつけられ、カメラ用付属品側の締め付け部材の締め付け状態において、アクセサリーシュー側に位置決め用穴に、位置決め係止ピンを落とし込むことによってカメラ用付属品の取付け足部部材がホットシューから外れることが防止されているが、構造が複雑で有るばかりかシュークリップを確実に緊締（きつく締めている状態）しておくことが必要である。
【特許文献１】実開平２−９５０２２号公報
【発明の開示】
【発明が解決しようとする課題】
【０００４】
本発明は被写体の撮影が可能なカメラ本体と、このカメラ本体の上部に設けられ、ストロボその他の外部機器のシュークリップが挿入取り付けられるホットシューと、前記シュークリップの挿入に従って上方に押され前記シュークリップの前記ホットシューへの取付け完了時に前記ホットシューの端部に係合するロック子からなり前記ロック子を押し上げることでストロボのカメラに対するロック状態を解除するようにすることで、比較的簡単な構造で、しかもシューリングが緩締（ゆるく締めている状態）であってもストロボが簡単に落下しないような構造にした点である。
【課題を解決するための手段】
【０００５】
本発明は被写体の撮影が可能なカメラ本体と、このカメラ本体の上部に設けられ、ストロボその他の外部機器のシュークリップが挿入取り付けられるホットシューと、前記シュークリップの挿入に従って上方に押され前記シュークリップの前記ホットシューへの取付け完了時に前記ホットシューの端部に係合するロック子からなることを解決手段とするものである。
【０００６】
又本発明の構造はホットシュー側に何の加工も必要としないものでストロボ側を構造的に改良することで緩締の状態のホットシューからシュークリップが脱落せず、構造簡単化の課題を解決しているものである。
【発明の効果】
【０００７】
請求項１記載の発明によれば、ストロボに構成したシュークリップを通常の状態でホットシューに挿入することで、その挿入の最深部でストロボに設けたロック子がばね力でホットシューの最後端で下がり係合し、ロック状態になるので例えシューリングや緩んでいてもシュークリップがホットシューから外れることがない効果がある。
【発明を実施するための最良の形態】
【０００８】
以下に、図１乃至図４を参照して本発明の実施例に係る外付けストロボの取付け構造を詳細に説明する。図１はストロボをカメラ本体に取付ける斜視図、図２は図１のホットシューの平面を表す図、図３はストロボをカメラに取付けた状態を側面から見た概略構成図、図４は図３図１の要部の拡大図である。
【０００９】
図１乃至図４において２１はカメラ本体で、該カメラ本体２１の上には所謂外付けのストロボ本体３２のシュークリップ２３が強制的に挿入され、シューリング２７で前記シュークリップ２３と締め付けられるホットシュー２４が配置されている。このホットシュー２４の内側にはストロボ本体３２の前記シュークリップ２３の裏部に設けられた端子に電気的に導通する図示しないシンクロ端子及びカメラ端子が頭部を上方に露出して設けられている。
【００１０】
前記ストロボ本体３２の要部Ａは図３及び図４に示すようにストロボ本体３２の内部に断面凸型の形状の引き込み室５０を形成してあって、内部にシリンダー５１を挿入配置してある。このシリンダー５１は断面逆Ｔ字型でその下部に断面三角形のロック子５２を突出していているとともに、内部で巻いたバネ５３を通している。このバネ５３は常時シリンダー５１を下方に押しているもので、前記シリンダー５１は引き込み室５０の上方の空所から先端が抜けない寸法に調整してある。
【００１１】
次に、図４はカメラ本体２１にストロボ３２を取付けた状態であるが、取付け方を説明すると、矢印Ｂの方向からシューリング２７を緩めてシュークリップ２３をホットシュー２４に挿入する、すると前記ロック子５２はバネ５３を押圧し、ロック子を上方に移動させ、シリンダー５１を引き込み室５０に引き込む。
【００１２】
次に、前記シュークリップ２３が全てホットシュー２４内に挿入され、ホットシュー２４の最後端に達するとロック子５２はシリンダー５１を通すバネ５３によって常時押し下げ力が附勢されいるからホットシュー２４の後端側に降りてストロボ本体３２をロックする。
【００１３】
ストロボ本体３２をホットシュー２４から外す場合は前記ロック子５２の先を指先、爪等で引っ掛けてバネ５３圧に抗して上方に押し上げ、同時に矢印Ｂの反対方向にストロボ本体３２を押すとロック子５２はホットシュー２４の後端から外れロックが解除されて、以後ストロボ本体３２を押し続けるとストロボ本体３２はカメラ本体２１から、つまりシュークリンプ２３はホットシュー２４から外れる。尚実施例ではバネ５３を巻きバネの例で説明したがこれに限られない。
【産業上の利用可能性】
【００１４】
本発明の取り付け構造はカメラ側に加工を施さないのでカメラの筐体を変更する必要が無く、ストロボ本体は部品の少ないものであるから筐体構造的にも安価に実現できるものである。
【図面の簡単な説明】
【００１５】
【図１】乃至図４は本発明の実施例を説明するで図１はストロボ本体をカメラ本体に取付ける斜視図。
【図２】は図１のホットシューの平面を表す図。
【図３】はストロボをカメラに取付けた状態を側面から見た概略構成図、
【図４】は図３、図１の要部の拡大図である。
【符号の説明】
【００１６】
２１    カメラ本体
２３    シュークリップ
２４    ホットシュー
２７    シューリング
３２    ストロボ本体
５０    引き込み室
５１    シリンダー
５２    ロック子
５３    バネ
【図１】
2009104010.tif 000003
【図２】
2009104010.tif 000004
【図３】
2009104010.tif 000005
【図４】
2009104010.tif 000006